(57)【要約】　　　（修正有）【課題】この考案は、優れた保持性と安定性をもち、上肢ギブス固定後の腕つりや肩鎖関節亜脱臼の予防と処置などに最適な医療用腕つり具の提供。【解決手段】腕つり具本体２と、この腕つり具本体を首にかけて吊る吊りバンド３とから設けられる医療用腕つり具１において、腕を支えるため下端底縁と後端縁とが少なくとも閉鎖される左右支持側壁部２ａ，２ｂを備えた腕つり具本体において左右支持側壁部の左右上縁寄り内側対応面に中間を閉鎖するベルベットファスナー６ａ，６ｂを配備してなる医療用腕つり具。【選択図】　　　　図１
0003097305.tif 000002
【実用新案登録請求の範囲】
【請求項１】
腕つり具本体と、この腕つり具本体を首にかけて吊る吊りバンドとから設けられる腕つり具において、腕を支えるため下端底縁と後端縁とが少なくとも閉鎖される左右支持側壁部を備えた腕つり具本体において左右支持側壁部の左右上縁寄り内側対応面に中間を閉鎖する閉鎖具を配備してなる医療用腕つり具。
【請求項２】
腕つり具本体の前端縁の左右支持壁部間に指掛け部を形成してなる請求項１の医療用腕つり具。
【請求項３】
底縁から立ち上がる左右支持壁部を構成し、それぞれには、立ち上がる前端縁と、凸状に湾曲して立ち上がる左右後端縁と、左右上縁を備え、前端縁と左右上縁にテープを二つ折りして縫製カバーし、左右後端縁を縫製接続し、左右支持壁部の前後中間においてそれぞれの左右上縁寄り対応内壁面にベルベットファスナーを配備して右支持壁部の前後中間において左右上縁を接続可能に設けてなる腕つり具本体と、腕つり具本体の左右後端縁寄りの左右支持壁部の外面に、上端に吊環を連結した後端縁側支持バンド部を配備し、腕つり具本体の左右前端縁の右支持壁部の内面を接続する前端縁側支持バンド部を上端に掛着自在に吊環を連結して配備し、前記後端縁側支持バンド部には、伸縮調整環を両端側に備えた後端側中間伸縮バンド部の両端を連結し、この後端側中間伸縮バンド部の中間に前端に前記掛着自在吊環と掛着自在の掛着自在吊環を備え、また中間に伸縮調整環を備えた首かけ伸縮調整バンド部の後端を接続してなる吊りバンドとからなる医療用腕つり具。
【請求項４】
腕つり具本体を構成する布材は、前後底部基線と平行方向に伸びるが、前後底部基線と横断方向には殆ど伸縮しない生地が選択して使用される請求項１、請求項２または請求項３の医療用腕つり具。
【考案の詳細な説明】
【０００１】
【考案が属する技術分野】
この考案は、上肢ギブス固定後の腕つりや肩鎖関節亜脱臼の予防と処置などに最適な医療用腕つり具に関するものである。
【０００２】
【従来の技術】
従来の医療用腕つり具は、方形布を三角に折り畳んで使用する三角巾が応用範囲も広く一般的である。
【０００３】
【考案が解決しようとする課題】
前記従来の技術の項で説明した三角巾は、手軽に利用できるが、腕が前後にずれ易く、保持性と安定性に欠けるものであった。
【０００４】
この考案は、優れた保持性と安定性をもつ医療専用の腕つり具の提供を目的になされたものである。
【０００５】
【課題を解決するための手段】
腕つり具本体と、この腕つり具本体を首にかけて吊る吊りバンドとから設けられる腕つり具において、腕を支えるため下端底縁と後端縁とが少なくとも閉鎖される左右支持側壁部を備えた腕つり具本体において左右支持側壁部の左右上縁寄り内側対応面に中間を閉鎖する閉鎖具を配備してなる医療用腕つり具にある。
【０００６】
腕つり具本体の前端縁の左右支持壁部間に指掛け部を形成してもよいものである。
【０００７】
底縁から立ち上がる左右支持壁部を構成し、それぞれには、立ち上がる前端縁と、凸状に湾曲して立ち上がる左右後端縁と、左右上縁を備え、前端縁と左右上縁にテープを二つ折りして縫製カバーし、左右後端縁を縫製接続し、左右支持壁部の前後中間においてそれぞれの左右上縁寄り対応内壁面にベルベットファスナーを配備して右支持壁部の前後中間において左右上縁を接続可能に設けてなる腕つり具本体と、腕つり具本体の左右後端縁寄りの左右支持壁部の外面に、上端に吊環を連結した後端縁側支持バンド部を配備し、腕つり具本体の左右前端縁の右支持壁部の内面を接続する前端縁側支持バンド部を上端に掛着自在に吊環を連結して配備し、前記後端縁側支持バンド部には、伸縮調整環を両端側に備えた後端側中間伸縮バンド部の両端を連結し、この後端側中間伸縮バンド部の中間に前端に前記掛着自在吊環と掛着自在の掛着自在吊環を備え、また中間に伸縮調整環を備えた首かけ伸縮調整バンド部の後端を接続してなる吊りバンドとからなる医療用腕つり具としてもよいものである。
【０００８】
腕つり具本体を構成する布材は、前後底部基線と平行方向に伸びるが、前後底部基線と横断方向には殆ど伸縮しない生地を選択してもよいものである。
【０００９】
【考案の実施の形態】
底縁から立ち上がる左右支持壁部を構成し、それぞれには、立ち上がる前端縁と、凸状に湾曲して立ち上がる左右後端縁と、左右上縁を備え、前端縁と左右上縁にテープを二つ折りして縫製カバーし、左右後端縁を縫製接続し、左右支持壁部の前後中間においてそれぞれの左右上縁寄り対応内壁面にベルベットファスナーを配備して右支持壁部の前後中間において左右上縁を接続可能に設けてなる腕つり具本体と、腕つり具本体の左右後端縁寄りの左右支持壁部の外面に、上端に吊環を連結した後端縁側支持バンド部を配備し、腕つり具本体の左右前端縁の右支持壁部の内面を接続する前端縁側支持バンド部を上端に掛着自在に吊環を連結して配備し、前記後端縁側支持バンド部には、伸縮調整環を両端側に備えた後端側中間伸縮バンド部の両端を連結し、この後端側中間伸縮バンド部の中間に前端に前記掛着自在吊環と掛着自在の掛着自在吊環を備え、また中間に伸縮調整環を備えた首かけ伸縮調整バンド部の後端を接続してなる吊りバンドとからなる医療用腕つり具。
【００１０】
【実施例】
以下、この考案の医療用腕つり具を、実施の一例を示す図面により説明すると、この実施例の医療用腕つり具１は、腕つり具本体２と、この腕つり具本体２を首にかけて吊る吊りバンド３とから設けられる。
【００１１】
前記腕つり具本体２は、図３に示すように、Ｂ−Ｂ底部基線を中心に、図面上で上下に対称に布材４を裁断し、左右支持壁部２ａ、２ｂを構成し、それぞれには、後傾して立ち上がる左右前端縁２ａ１、２ｂ１と、凸状に湾曲して立上る左右後端縁２ａ２、２ｂ２と、左右上縁２ａ３、２ｂ３を備える。そして、その左右前端縁２ａ１、２ｂ１と左右上縁２ａ３、２ｂ３にテープ５を二つ折りして縫製カバーしている。さらに、左右後端縁２ａ２、２ｂ２を縫製接続し、左右支持壁部２ａ、２ｂの前後中間においてそれぞれの左右上縁２ａ３、２ｂ３寄り対応内壁面にベルベットファスナー６ａ、６ｂを配備して左右支持壁部２ａ、２ｂの前後中間において左右上縁２ａ３、２ｂ３を接続可能に設けてＬ形の腕つり具本体２を構成してなるものである。前記布材４は、Ｂ−Ｂ底部基線と平行方向、すなわち、前後方向には伸びるが、Ｂ−Ｂ底部基線と横断方向、すなわち、上下方向には殆ど伸縮しない生地が選択して使用される。前記ベットファスナー６ａ、６ｂは、閉鎖機能を備えればよいので、ボタン、ホック、かけ具等の止め具、閉鎖具の種類は問わないものである。
【００１２】
前記吊りバンド３は、腕つり具本体２の左右後端縁２ａ２、２ｂ２寄りの左右支持壁部２ａ、２ｂの外面に、上端に吊環７ａ、７ｂを連結した後端縁側支持バンド部８を配備し、腕つり具本体２の左右前端縁２ａ１、２ｂ１の左右支持壁部２ａ、２ｂの内面を接続する前端縁側支持バンド部９を上端に掛着自在吊環１０を連結して配備し、前記後端縁側支持バンド部８には、伸縮調整環１１ａ、１１ｂを両端側に備えた後端側中間伸縮バンド部１１の両端を連結し、この後端側中間伸縮バンド部１１の中間に前端に前記掛着自在吊環１０と掛着自在の掛着自在吊環１２を備え、また中間に伸縮調整環１３ａを備えた首かけ伸縮調整バンド部１３の後端を接続してなる。なお、前記前端縁側支持バンド部９は、左右支持壁部２ａ、２ｂ間に、環状に垂下し、指掛け部９ａを形成している。
【００１３】
この考案の医療用腕つり具１は、前述のようになるから、左右支持壁部２ａ、２ｂの左右後端縁２ａ２、２ｂ２が接続されているから、腕を収容したときに、左右後端縁２ａ２、２ｂ２に保持壁が構成されて外にずれ出ることがなく、保持することができる。また、前端縁側支持バンド部９の下端が環状に垂下して指かけ部９ａが設けられているから、それに収容した腕の親指を差し入れて腕を保持することができ、腕がつり具から前端側にずれ出ることを防止することができるものである。そして、左右支持壁部２ａ、２ｂの左右上縁２ａ３、２ｂ３寄り内面の対応壁面にベルベットファスナー６ａ、６ｂが配備されているから、腕を収容した後、そのベルベットファスナー６ａ、６ｂを押圧して接続して左右支持壁部２ａ、２ｂの左右上縁２ａ３、２ｂ３の中間を閉じることができ、腕つり具から腕が上方へ外れることを防止することができるものである。
【００１４】
前記吊りバンド３の後端側中間伸縮バンド部１１は、両側に伸縮調整環１１ａ、１１ｂを配備してどちら側の半分を外面とすることができ、また、前記首かけ伸縮調整バンド部１３は、前端が前端縁側支持バンド部９の上端の掛着自在吊環１０に掛着自在に連結して常に一方面を外面として連結することができ、左右支持壁部２ａ、２ｂのどちらの面も外側にして腕つり具１を左右の腕を兼用にして用いることができる。
【００１５】
また、前記吊りバンド３の後端側中間伸縮バンド部１１は、両側に伸縮調整環１１ａ、１１ｂを配備して腕を間にその後端側を伸縮自在に、かつ平均に吊ることができ、また、前記首かけ伸縮調整バンド部１３も伸縮調整環１３ａを備えているから、首掛けとバンドの前端側も長さを伸縮自在に構成して使用者に最適なものに調節自在にすることができる。
【００１６】
【考案の効果】
この考案の医療用腕つり具は、以上のようになるから、左右支持壁部の左右上縁寄り内面の対応壁面にベルベットファスナーが配備されているから、収容した腕が左右上縁より上方に外れ出るのを防止することができ、安定して腕つりが行えるものである。また、左右腕を兼用して使用することができ、また、バンドの前端側および後端側とも使用者に最適な状態に調節して広く使用することができる。
【図面の簡単な説明】
【図１】この考案の医療用腕つり具の実施例を示す全体の斜視図である。
【図２】同じく、正面図である。
【図３】同じく、図２のＡ−Ａ線に沿う拡大断面図である。
【図４】同じく、医療用腕つり具の腕つり具本体を構成する布材の裁断例を示す展開図である。
【符号の説明】
１　医療用腕つり具
２　腕つり具本体
２ａ　左支持壁部
２ａ１　左前端縁
２ａ２　左後端縁
２ａ３　左上縁
２ｂ　右支持壁部
２ｂ１　右前端縁
２ｂ２　右後端縁
２ｂ３　右上縁
３　吊りバンド
４　布材
５　テープ
６ａ　ベルベットファスナー
６ｂ　ベルベットファスナー
７ａ　吊環
７ｂ　吊環
８　後端縁側支持バンド部
９　前端縁側支持バンド部
９ａ　指掛け部
１０　掛着自在吊環
１１　後端側中間伸縮バンド部
１１ａ　伸縮調整環
１１ｂ　伸縮調整環
１２　掛着自在吊環
１３　伸縮調整バンド部
１３ａ　伸縮調整環
【図１】
0003097305.tif 000003
【図２】
0003097305.tif 000004
【図３】
0003097305.tif 000005
【図４】
0003097305.tif 000006